(57)【要約】【課題】外気の漏れ込みと冷気の漏れ出しを減少させることができ、商品の温度管理を適切に行うことが可能なオープンショーケースを提供することを目的とする。【解決手段】本発明にかかるオープンショーケースの構成は、上方に設置された吹出口１０４から吹き出した冷気を下方に設置された吸込口１０６から吸い込むオープンショーケース１００であって、棚板１０８・１１０・１１２（底板１１４）と、吸込口１０６に着脱可能なアタッチメント１５０と、を備え、アタッチメントは１５０、吸込口１０６の奥側に配置される内側衝立面１５２と、吸込口１０６の手前側に配置される外側衝立面１５４と、内側衝立面１５２の上辺および外側衝立面１５４の上辺を連結する連結面１５６と、連結面１５６に形成された多数の通気穴１５８と、を有することを特徴とする。【選択図】図１
2020124399.tif 000002
【特許請求の範囲】
【請求項１】
上方に設置された吹出口から吹き出した冷気を下方に設置された吸込口から吸い込むオープンショーケースであって、
棚板と、
前記吸込口に着脱可能なアタッチメントと、
を備え、
前記アタッチメントは、
前記吸込口の奥側に配置される内側衝立面と、
前記吸込口の手前側に配置される外側衝立面と、
前記内側衝立面の上辺および前記外側衝立面の上辺を連結する連結面と、
前記連結面に形成された多数の通気穴と、
を有することを特徴とするオープンショーケース。
【請求項２】
前記アタッチメントは、前記内側衝立面、前記外側衝立面および前記連結面によって断面がコの字になっていて、
前記アタッチメントは、小サイズの部材と、これにかぶさる大サイズの部材とからなり、該小サイズの部材と該大サイズの部材をスライドさせることによって全長を調整可能であることを特徴とする請求項１に記載のオープンショーケース。
【請求項３】
前記アタッチメントは、端部の開口を覆うキャップを更に有することを特徴とする請求項１または２に記載のオープンショーケース。
【発明の詳細な説明】
【技術分野】
【０００１】
本発明は、上方に設置された吹出口から吹き出した冷気を下方に設置された吸込口から吸い込むオープンショーケースに関する。
【背景技術】
【０００２】
スーパーマーケットなどに設置されるオープンショーケースは、陳列スペースを有する。陳列スペースは、複数段に置かれた棚板を有していて、棚板に置かれた商品を取り出し易いように、店内（室内）に向けて開放されている。特許文献１に記載のオープンショーケースでは、商品収納庫（陳列スペース）の上部の冷気吐出口から冷気を吐出し、陳列スペースの下部の冷気吸込口から冷気を吸い込むことで、冷気を循環させてエアーカーテンを形成している。
【先行技術文献】
【特許文献】
【０００３】
【特許文献１】特開２００６−３０２１号公報
【発明の概要】
【発明が解決しようとする課題】
【０００４】
エアーカーテンには、陳列スペースの内部に、室内の空気（すなわち外気）が漏れ込むことを抑制する効果がある。しかし、陳列スペースが室内に向けて開放されていることから、たとえエアーカーテンを形成しても、実際には、陳列スペースの内部に室内から外気がある程度は漏れ込んでしまう。
【０００５】
陳列スペースの内部に外気が漏れ込むと、冷気が室内に漏れ出すことになり、冷却器に利用されるヒートポンプの負荷が高くなり、ヒートポンプのＣＯＰ（Coefficient Of Performance：成績係数）が低下してしまう。このため、外気の漏れ込みと、冷気の漏れ出しを減少させることは、商品販売のコスト管理を行う上で重要である。
【０００６】
また上述したようにエアーカーテンを形成することにより、エアーカーテンを形成しない場合に比して、陳列スペース内の温度を所望の温度に維持することができる。しかしながら、従来から、吸込口近傍は、他の空間よりも温度が高くなることが確認されている。すると、吸込口近傍に陳列された商品の温度と、吸込口近傍以外に陳列された商品の温度とに差が生じてしまう。したがって、特許文献１のオープンショーケースには更なる改善の余地があった。
【０００７】
本発明は、このような課題に鑑み、外気の漏れ込みと冷気の漏れ出しを減少させることができ、商品の温度管理を適切に行うことが可能なオープンショーケースを提供することを目的としている。
【課題を解決するための手段】
【０００８】
上記課題を解決するために、本発明にかかるオープンショーケースの代表的な構成は、上方に設置された吹出口から吹き出した冷気を下方に設置された吸込口から吸い込むオープンショーケースであって、棚板と、吸込口に着脱可能なアタッチメントと、を備え、アタッチメントは、吸込口の奥側に配置される内側衝立面と、吸込口の手前側に配置される外側衝立面と、内側衝立面の上辺および外側衝立面の上辺を連結する連結面と、連結面に形成された多数の通気穴と、を有することを特徴とする。
【０００９】
上記構成によれば、吸込口の手前側にアタッチメントの外側衝立面が配置されることにより、吸込口近傍における外気の漏れ込みおよび冷気の漏れ出しを好適に減少させることができる。そして、吸込口の奥側にアタッチメントの内側衝立面が配置されることにより、吸込口の奥側に配置されている商品の周囲を冷気溜まりで満たすことができる。したがって、吸込口の奥側に配置されている商品の温度管理を適切に行うことが可能となる。
【００１０】
また上記構成では、内側衝立面の上辺および外側衝立面の上辺が連結面によって連結される。これにより、連結面を設けない場合に比して、アタッチメントの剛性が高まる。したがって、例えば陳列作業時等にアタッチメント上に商品を載置した際のアタッチメントの変形を好適に防ぐことが可能となる。そして、連結面に多数の通気穴が形成されていることにより、通気穴を介して吸込口から冷気を良好に吸い込むことができる。
【００１１】
上記アタッチメントは、内側衝立面、外側衝立面および連結面によって断面がコの字になっていて、アタッチメントは、小サイズの部材と、これにかぶさる大サイズの部材とからなり、小サイズの部材と大サイズの部材をスライドさせることによって全長を調整可能であるとよい。
【００１２】
かかる構成によれば、小サイズの部材と大サイズの部材とをスライドさせることにより、アタッチメントの全長をオープンショーケースの幅に合わせて調整することができる。したがって、１種類のアタッチメントで、幅が異なる複数の種類のオープンショーケースに対応することができ、アタッチメントに要するコストを削減することが可能となる。
【００１３】
上記アタッチメントは、端部の開口を覆うキャップを更に有するとよい。これにより、アタッチメントの端部からの冷気の漏れ出しを効率的に抑制することができ、上述した効果を高めることが可能となる。
【発明の効果】
【００１４】
本発明によれば、外気の漏れ込みと冷気の漏れ出しを減少させることができ、商品の温度管理を適切に行うことが可能なオープンショーケースを提供することができる。
【図面の簡単な説明】
【００１５】
【図１】本実施形態にかかるオープンショーケースを示す図である。
【図２】オープンショーケースのアタッチメントの４面図および断面図である。
【図３】本実施形態（実施例）のオープンショーケースおよび比較例のオープンショーケースにおける冷気の流れを説明する図である。
【図４】実施例のオープンショーケースに陳列された商品の表面温度を説明する図である。
【図５】比較例のオープンショーケースに陳列された商品の表面温度を説明する図である。
【図６】実施例のオープンショーケースおよび比較例のオープンショーケースの冷気の漏れ込み量および温度分布を説明する図である。
【図７】アタッチメントの他の例を説明する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
図１は、本実施形態にかかるオープンショーケース１００を示す図である。オープンショーケース１００は、スーパーマーケットなどに設置され、店内（室内）に向けて開放された陳列スペース１０２を有する。陳列スペース１０２の上方には、冷気を吹き出す吹出口１０４が設けられている。陳列スペース１０２の下方には、冷気を吸い込む吸込口１０６が設けられている。
【００１８】
オープンショーケース１００では、吹出口１０４から下方に向けて冷気を吹き出し、さらに吸込口１０６から冷気を吸い込んでいる。吸い込まれた冷気は、陳列スペース１０２の背後に設けられた通風路を通り、さらに通風路に設置されたヒートポンプ（ともに不図示）により冷却されて、吹出口１０４から再び吹き出される。これにより、オープンショーケース１００においてエアーカーテンが形成される。
【００１９】
このようにしてオープンショーケース１００では、冷気を循環させてエアーカーテンを形成し、陳列した商品（不図示）を保冷している。商品は、陳列スペース１０２の内部に上下に離間して複数段（ここでは３つ）設けられた棚板１０８・１１０・１１２、および棚板としても機能する底板１１４に陳列される。
【００２０】
オープンショーケース１００が形成するエアーカーテンには、陳列スペース１０２の内部に、室内の空気（すなわち外気）が漏れ込むことを抑制する効果がある。しかし、陳列スペース１０２は、室内に向けて開放されていることから、たとえエアーカーテンを形成しても、実際には、吸込口１０６近傍において、陳列スペース１０２の内部へ外気がある程度は漏れ込んでしまう。すると、オープンショーケース１００では、外気が漏れ込んだ分、冷気が室内に漏れ出してしまう。
【００２１】
上述したように外気の漏れ込みおよび冷気の漏れ出しが生じると、吸込口１０６から吸い込まれる空気の温度が上昇してしまう。このため、冷却器に利用されるヒートポンプの負荷が高くなり、ヒートポンプのＣＯＰ（Coefficient Of Performance：成績係数）が低下してしまう。したがって、外気の漏れ込みと、冷気の漏れ出しを減少させることは、商品販売のコスト管理を行う上で重要である。
【００２２】
図２は、オープンショーケース１００のアタッチメント１５０の４面図およびＡ−Ａ断面図である。本実施形態のオープンショーケース１００は、図１に示す吸込口１０６に着脱可能なアタッチメントを備える。図２に示すように、アタッチメント１５０は、内側衝立面１５２、外側衝立面１５４および連結面１５６を有する。すなわちアタッチメント１５０は、内側衝立面１５２、外側衝立面１５４および連結面１５６によって断面がコの字形状となっている。
【００２３】
内側衝立面１５２は、オープンショーケース１００の全幅で上下方向に立設し、吸込口１０６の奥側（商品側）に配置される縦壁である。内側衝立面１５２には、底板１１４を支持する丸棒１１４ａが挿入される穴１５２ａが設けられている。吸込口１０６の奥側にアタッチメント１５０の内側衝立面１５２が配置されることにより、吸込口１０６の奥側に配置されている商品の周囲を冷気溜まりで満たすことができる。したがって、吸込口１０６の奥側に配置されている商品の温度管理を適切に行うことが可能となる。
【００２４】
外側衝立面１５４は、オープンショーケース１００の全幅で上下方向に立設し、吸込口１０６の手前側（通路側）に配置される縦壁である。吸込口１０６の手前側にアタッチメント１５０の外側衝立面１５４が配置されることにより、吸込口１０６近傍における外気の漏れ込みおよび冷気の漏れ出しを好適に減少させることができる。
【００２５】
連結面１５６は、オープンショーケース１００の全幅で奥行き方向に延びていて、内側衝立面１５２の上辺および外側衝立面１５４の上辺を連結する。これにより、図２に示すように、アタッチメント１５０の断面は、下方が開口したコの字状となる。このため、連結面を設けない場合に比して、アタッチメント１５０の剛性が高まる。したがって、例えば陳列作業時等にアタッチメント１５０上に商品を載置した際のアタッチメント１５０の変形を好適に防ぐことが可能となる。
【００２６】
また連結面１５６には、多数の通気穴１５８が形成されている。これにより、通気穴１５８を介して吸込口１０６から冷気を良好に吸い込むことができる。なお、本実施形態では、通気穴１５８はスリット状であるが、これに限定するものではない。通気穴１５８は、例えばパンチングメタルのような円状であってもよいし、網の隙間のような形状であってもよいし、他の形状を採用することも可能である。
【００２７】
また図２に示すように、本実施形態のオープンショーケース１００では、アタッチメント１５０は、端部の開口を覆うキャップ１６０を有する。これにより、アタッチメント１５０の端部からの冷気の漏れ出しを効率的に抑制することができ、上述した効果を高めることが可能となる。
【００２８】
図３は、本実施形態（実施例）のオープンショーケース１００および比較例のオープンショーケース１０における冷気の流れを説明する図である。図３（ａ）は、実施例のオープンショーケース１００における冷気の流れを説明する図である。図３（ｂ）は、比較例のオープンショーケース１０における冷気の流れを説明する図である。
【００２９】
なお、実施例のオープンショーケース１００および比較例のオープンショーケース１０における共通の構成要素については、同一の符号を付することにより、重複説明を避ける。また理解を容易にするために、図３（ａ）および（ｂ）では、冷気の流れを矢印によって示し、冷気溜まりをハッチングにて示す。
【００３０】
図３（ｂ）に示す比較例のオープンショーケース１０は、吸込口１０６の周辺に衝立等が設けられていない。このような構成であると、吹出口１０４から吹き出された冷気は、下方に向かって流れ、吸込口１０６に吸い込まれる。このとき、棚板１０８・１１０・１１２の上方の空間には冷気溜まりが形成されている。しかしながら、陳列スペース１０２の最下段となる底板１１４の最も手前側に配置されている商品１２の近傍に冷気溜まりが形成されていない。すると、底板１１４上では、陳列された商品の温度が不均一になってしまう。
【００３１】
これに対し、図３（ａ）に示す実施例のオープンショーケース１００は、吸込口１０６に代えてアタッチメント１５０が取り付けられている。これにより、吹出口１０４から吹き出された冷気は、下方に向かって流れ、アタッチメント１５０の連結面１５６の通気穴１５８を通過して、吸込口１０６に吸い込まれる。このとき、吸込口１０６の奥側に内側衝立面１５２が配置されることにより、底板１１４の最も手前側に配置されている商品１２の近傍の冷気が吸込口１０６に吸い込まれることが抑制され、そこに冷気溜まりが形成される。したがって、陳列スペース１０２に陳列された標品の温度を均一にすることが可能となる。
【００３２】
なお図３（ａ）では、吸込口１０６を取り外してアタッチメント１５０を取り付けるように図示している。しかしながら、吸込口１０６を残したままでその上にアタッチメント１５０を取り付けるように構成してもよい。
【００３３】
図４は、実施例のオープンショーケース１００に陳列された商品の表面温度を説明する図である。図４（ａ）は、商品１２の表面温度の測定ポイントを示す図であり、図４（ｂ）は、商品１２の表面温度の時間的推移を示す図である。図５は、比較例のオープンショーケース１０に陳列された商品の表面温度を説明する図である。図５（ａ）は、商品１２の表面温度の測定ポイントを示す図であり、図５（ｂ）は、商品１２の表面温度の時間的推移を示す図である。
【００３４】
図４（ａ）および図５（ａ）に示すように、商品１２の表面温度の測定は、４箇所で行った。測定ポイントＰ１は、底板１１４の最も手前側に陳列された商品１２の表面である。測定ポイントＰ２は、棚板１１２の最も手前側に陳列された商品１２の表面である。測定ポイントＰ３は、棚板１１０の最も手前側に陳列された商品１２の表面である。測定ポイントＰ４は、棚板１０８の最も手前側に陳列された商品１２の表面である。
【００３５】
図４（ｂ）および図５（ｂ）を参照して明らかなように、実施例のオープンショーケース１００では、測定ポイントＰ１−Ｐ４において、比較例のオープンショーケース１０に比して全体的に表面温度が低く維持されている。このことから、本実施形態のオープンショーケース１００のように吸込口１０６にアタッチメント１５０を取り付けることにより、外気の漏れ込みと冷気の漏れ出しを減少させることができ、それらに起因する冷気の温度上昇を抑制していることが理解できる。
【００３６】
特に、図４（ｂ）および図５（ｂ）を比較すると、測定ポイントＰ１の温度は、比較例よりも実施例の方が著しく低く維持されている。このことから、本実施形態のオープンショーケース１００のように吸込口１０６にアタッチメント１５０を取り付けることにより、底板１１４の最も手前側に陳列された商品１２の近傍に冷気溜まりが形成され、その商品が十分に冷却されることが理解できる。
【００３７】
図６は、実施例のオープンショーケース１００および比較例のオープンショーケース１０の冷気の漏れ込み量および温度分布を説明する図である。図６（ｃ）に示すように、比較例のオープンショーケース１０では、漏れ込んだ外気の割合は３６％であるのに対し、図６（ａ）に示すように、実施例のオープンショーケース１００では、オープンショーケース１００に漏れ込んだ外気の割合は２５％である。このことから、本実施形態のオープンショーケース１００のように吸込口１０６にアタッチメント１５０を取り付けることにより、外気の漏れ込みを好適に抑制可能であることがわかる。
【００３８】
また図６（ｂ）に示す実施例のオープンショーケース１００の温度勾配の領域Ａは、図６（ｄ）に示す比較例のオープンショーケース１０の温度勾配の領域Ａ´よりも細い。このことから、実施例のオープンショーケース１００では、冷気の外部への漏れ出しが抑制され、陳列スペース１０２の表面の温度の上昇を抑えられていることが理解できる。
【００３９】
更に図６（ｂ）に示す実施例のオープンショーケース１００の前方の領域である前方領域Ｂの温度分布は、図６（ｄ）に示す比較例のオープンショーケース１０の前方の領域である前方領域Ｂ´の温度分布よりも高い。このことから、比較例のオープンショーケース１０では陳列スペース１０２の冷気が漏れ出すことにより前方領域の温度が低下するが、実施例のオープンショーケース１００では冷気の漏れ出しが抑制され、それに起因する前方領域の温度低下が抑制されていることがわかる。
【００４０】
図７は、アタッチメント２５０の他の例を説明する図である。図７に示すアタッチメント２５０は、複数（図６では２つを例示）の部材によって構成される。具体的には、アタッチメント２５０は、小サイズの部材２５２と、これにかぶさる大サイズの部材２５４とからなる。そして、小サイズの部材２５２と大サイズの部材をスライドさせることによって、オープンショーケースの幅に合わせてアタッチメント２５０の全長ｗを調整可能である。したがって、１種類のアタッチメント２５０で、幅が異なる複数の種類のオープンショーケースに対応することができ、アタッチメント２５０に要するコストを削減することが可能となる。
【００４１】
なお、図７では、アタッチメント２５０が、小サイズの部材２５２および大サイズの部材２５４の２つからなる構成を例示したが、これに限定するものではない。アタッチメント２５０は、３以上の部材によって構成されてもよく、その数は任意に設定することが可能である。
【００４２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、上方に設置された吹出口から吹き出した冷気を下方に設置された吸込口から吸い込むオープンショーケースとして利用することができる。
【符号の説明】
【００４４】
１０…オープンショーケース、１２…商品、１００…オープンショーケース、１０２…陳列スペース、１０４…吹出口、１０６…吸込口、１０８…棚板、１１０…棚板、１１２…棚板、１１４…底板、１５０…アタッチメント、１５２…内側衝立面、１５４…外側衝立面、１５６…連結面、１５８…通気穴、１６０…キャップ、２５０…アタッチメント、２５２…小サイズの部材、２５４…大サイズの部材
【図１】
2020124399.tif 000003
【図２】
2020124399.tif 000004
【図３】
2020124399.tif 000005
【図４】
2020124399.tif 000006
【図５】
2020124399.tif 000007
【図６】
2020124399.tif 000008
【図７】
2020124399.tif 000009